(57)【要約】【課題】急峻な山間に迅速かつ確実に構築可能な滑落防止構造物を提供すること。【解決手段】本考案の滑落防止構造物１は、斜面残留物Ａを被覆する繊維製の被覆ネット１０と、被覆ネット１０の上辺及び下辺に沿って被覆ネット１０の網目を連通して水平方向に延在する樹脂製の２本の展張ロープ２０と、展張ロープ２０の両端を斜面に固定する複数のアンカー材３０と、を備え、アンカー材３０として、斜面に自生する立木を用いることで、立木の根系の引抜き抵抗力によって、斜面残留物Ａを斜面に係留可能に構成したことを特徴とする。【選択図】図１
0003231385.tif 000002
【実用新案登録請求の範囲】
【請求項１】
斜面上に配置する斜面残留物の滑落を防止するための滑落防止構造物であって、
前記斜面残留物を被覆する繊維製の被覆ネットと、
前記被覆ネットの上辺及び下辺に沿って前記被覆ネットの網目を連通して水平方向に延在する樹脂製の２本の展張ロープと、
前記展張ロープの両端を斜面に固定する複数のアンカー材と、を備え、
前記アンカー材として、斜面に自生する立木を用いることで、前記立木の根系の引抜き抵抗力によって、前記斜面残留物を斜面に係留可能に構成したことを特徴とする、
滑落防止構造物。
【請求項２】
前記被覆ネットの網目を連通して斜面の傾斜方向に延在する樹脂製の固定ロープを備え、前記固定ロープの両端を複数の前記アンカー材で斜面に固定したことを特徴とする、請求項１に記載の滑落防止構造物。
【請求項３】
前記展張ロープ及び／又は前記固定ロープがブレードロープからなり、前記アンカー材の外周に巻き付けた前記ブレードロープの先端を前記ブレードロープの網目に編み込むアイ加工によって、前記展張ロープ及び／又は前記固定ロープの端部を前記アンカー材に固定したことを特徴とする、請求項２に記載の滑落防止構造物。
【請求項４】
前記被覆ネットの網目を連通して上下の前記展張ロープの間に水平方向に延在する樹脂製の補助ロープを備え、前記補助ロープの両端を複数の前記アンカー材で斜面に固定したことを特徴とする、請求項１乃至３のいずれか一項に記載の滑落防止構造物。
【請求項５】
前記被覆ネットが、ラッセル編地からなることを特徴とする、請求項１乃至４のいずれか一項に記載の滑落防止構造物。
【請求項６】
隣接する複数の前記被覆ネットを、前記被覆ネットの網目を連通した繊維製ロープによって連結したことを特徴とする、請求項１乃至５のいずれか一項に記載の滑落防止構造物。
【請求項７】
前記被覆ネットを渓岸の間に横架し、２本の前記固定ロープを渓岸から渓床に亘って平面視逆八の字型に掛け渡したことを特徴とする、請求項２又は３に記載の滑落防止構造物。
【考案の詳細な説明】
【技術分野】
【０００１】
本考案は滑落防止構造物に関し、特に軽量で人力によって搬送可能な樹脂製の部材を、斜面に自生する立木をアンカー材に代用して係留することで、急峻な山間に迅速かつ確実に構築可能な滑落防止構造物に関する。
【背景技術】
【０００２】
落石や土石流等の自然災害において、災害発生後に斜面に岩塊や流木が残留することがある。これらの斜面残留物は地盤に固定されていないため不安定な状態にあり、その後の雨等によって斜面を滑落して二次災害を惹起する可能性がある。
斜面残留物の対策に係る従来技術には、岩塊の表面にワイヤロープを掛けわたしてアンカーで係留するロープ掛工（特許文献１）、岩塊と斜面の間に根固めモルタルを注入して斜面に固定する根固め工（特許文献２）、斜面に設置した待ち受け型フェンスで岩塊や流木を捕捉するフェンス設置工等が存在する。
【先行技術文献】
【特許文献】
【０００３】
【特許文献１】特開平１１−１９１２号公報
【特許文献２】特開昭６０−２３５０４号公報
【考案の概要】
【考案が解決しようとする課題】
【０００４】
従来技術には以下の問題点がある。
＜１＞鋼管支柱、ワイヤロープ、金網、形鋼など金属製の部材が多く、部品点数も多い。また、支柱やアンカーの打設にレッグハンマーやコンプレッサ等の重量のある機材が必要となる。これらの重量のある多数の部品や資材を、人力では急峻な山間部に搬入することができないため、事前にクレーンやモノレール等の大型設備を設置する必要がある。このため、設置に長い工期と高額の施工コストがかかる。
＜２＞斜面残留物を有効に捕捉又は係留するために、支柱やアンカー等を地中に深く打ち込む必要がある。また、多数の金属部材を現地で組み立てる必要がある。このため、設置に長い作業時間と労力がかかる。
＜３＞以上より、二次災害の防止を目的とする緊急対策工であるにかかわらず、工期が長く、短時間で安全を確保することができない。
【０００５】
本考案の目的は、以上のような問題点を解決できる滑落防止構造物を提供することにある。
【課題を解決するための手段】
【０００６】
本考案の滑落防止構造物は、斜面残留物を被覆する繊維製の被覆ネットと、被覆ネットの上辺及び下辺に沿って被覆ネットの網目を連通して水平方向に延在する樹脂製の２本の展張ロープと、展張ロープの両端を斜面に固定する複数のアンカー材と、を備え、アンカー材として、斜面に自生する立木を用いることで、立木の根系の引抜き抵抗力によって、斜面残留物を斜面に係留可能に構成したことを特徴とする。
【０００７】
本考案の滑落防止構造物は、被覆ネットの網目を連通して斜面の傾斜方向に延在する樹脂製の固定ロープを備え、固定ロープの両端を複数のアンカー材で斜面に固定してもよい。
【０００８】
本考案の滑落防止構造物は、展張ロープ及び／又は固定ロープがブレードロープからなり、アンカー材の外周に巻き付けたブレードロープの先端をブレードロープの網目に編み込むアイ加工によって、展張ロープ及び／又は固定ロープの端部をアンカー材に固定してもよい。
【０００９】
本考案の滑落防止構造物は、被覆ネットの網目を連通して上下の展張ロープの間に水平方向に延在する樹脂製の補助ロープを備え、補助ロープの両端を複数のアンカー材で斜面に固定してもよい。
【００１０】
本考案の滑落防止構造物は、被覆ネットが、ラッセル編地からなってもよい。
【００１１】
本考案の滑落防止構造物は、隣接する複数の被覆ネットを、被覆ネットの網目を連通した繊維製ロープによって連結してもよい。
【００１２】
本考案の滑落防止構造物は、被覆ネットを渓岸の間に横架し、２本の固定ロープを渓岸から渓床に亘って平面視逆八の字型に掛け渡してもよい。
【考案の効果】
【００１３】
本考案の滑落防止構造物は、上記の構成により次の効果のうち少なくとも一つを備える。
＜１＞樹脂製の部材からなるため軽量である。また、簡易な構成で部品点数が少なく、アンカーに現場の立木を利用するため、搬送する資材の量が少ない。さらに、アンカー打設のための機材も必要ない。このため、クレーンなどの特殊な設備を要さず、資材を人力によって容易に現場へ搬送することができる。
＜２＞樹脂製の部材からなるため、特殊な組立工具を必要とせず、カッターやハサミで施工することができる。また、アンカーとして現場に自生する立木を利用するため、アンカーの打設作業が必要ない。このため、施工が容易で短時間で安全を確保することができる。
＜３＞以上より、人力により短時間かつ容易に斜面残留物を斜面に係留して、二次災害の発生を防止することができる。
【図面の簡単な説明】
【００１４】
【図１】本考案の滑落防止構造物の説明図。
【図２】実施例２の説明図。
【考案を実施するための形態】
【００１５】
以下、図面を参照しながら本考案の滑落防止構造物について詳細に説明する。
【実施例１】
【００１６】
[滑落防止構造物]
＜１＞全体の構成（図１）。
本考案の滑落防止構造物１は、斜面上に配置する斜面残留物Ａの滑落を防止するための構造物である。
滑落防止構造物１は、斜面残留物Ａを被覆する被覆ネット１０と、被覆ネット１０の上辺及び下辺に沿って水平方向に延在する２本の展張ロープ２０と、斜面に自生する立木からなる複数のアンカー材３０と、を少なくとも備える。
本例では更に被覆ネット１０上に沿って斜面の傾斜方向に延在する２本の固定ロープ４０を備える。
展張ロープ２０及び固定ロープ４０は、被覆ネット１０の網目を連通し、被覆ネット１０の外側に延出させた両端をアンカー材３０によって斜面に固定する。
本考案の滑落防止構造物１は、搬送する部品（被覆ネット１０、展張ロープ２０、及び固定ロープ４０）が全て樹脂製品からなるため軽量で、人力で搬送することができる。また、特殊な工具を必要とせず、カッターやハサミで施工することができる。
【００１７】
＜１．１＞斜面残留物。
本例における斜面残留物Ａは、岩塊と流木である。
ただし本考案の対象となる斜面残留物Ａは岩塊と流木に限らず、斜面上に固定されない状態で配置する物であって、滑落の危険がある全ての物を含む。
【００１８】
＜２＞被覆ネット。
被覆ネット１０は、斜面残留物Ａを被覆して斜面に抑え込むネットである。
本例では被覆ネット１０として、ポリエステル製のラッセル編みネットを採用する。ポリエステル製ラッセル編みネットは、軽量で伸縮性が高く、部分的に切断しても切断部からほつれが広がることがない。
ただし被覆ネットの素材や構造はこれに限らず、他の繊維製ネットを採用してもよい。
また、被覆ネット１０による被覆面積が大きい場合には、複数の被覆ネット１０を組み合わせ、隣接する被覆ネット１０の側辺の網目に繊維製ロープを連通して連結してもよい。
【００１９】
＜３＞展張ロープ。
展張ロープ２０は、被覆ネット１０を斜面に固定するロープである。
本例では展張ロープ２０として、ポリエステル製のブレードロープを採用する。
ブレードロープは、繊維糸を束ねた中芯を編み込んだ複数のストランドで覆った二重構造のロープであり、柔軟性と高い保形性を兼ね備える上、端部をアンカー材３０の外周に巻き付けてから網目に編み込む（アイ加工）ことで、アンカー材３０をループ状に囲んで連結することができる。
ただし展張ロープ２０はブレードロープに限らず、他の繊維製ロープを採用してもよい。
【００２０】
＜４＞固定ロープ。
固定ロープ４０は、被覆ネット１０を水平方向に位置決めするロープである。
被覆ネット１０は、網目に連通した水平方向の展張ロープ２０によって保持されるため、網目に沿って水平方向に摺動することができる。そこで、固定ロープ４０を被覆ネット１０の縦方向に沿って網目に連通し、両端をアンカー材３０に固定することで、被覆ネット１０の水平方向の移動を規制して位置決めすることできる。
本例では固定ロープ４０として、展張ロープ２０と同一のブレードロープを採用する。
【００２１】
＜５＞アンカー材。
アンカー材３０は、展張ロープ２０及び固定ロープ４０を介して斜面残留物Ａ斜面に係留するアンカー要素である。
本考案は、アンカー材３０として、斜面に自生する立木を用いる点に一つの特徴を有する。
斜面の立木は、斜面の地中に深く広く根を張っているため、この根系の引抜き抵抗力を利用することで、アンカー材の打設作業を要さずに、斜面残留物Ａを斜面に確実に係留することができる。
また、立木をアンカー材３０とすることで、アンカー材を現場まで搬送する必要がなく、アンカー材打設のための機材も不要となる。
【００２２】
＜６＞補助ロープ。
補助ロープ５０は、被覆ネット１０における上下の展張ロープ２０の間を抑えるロープである（不図示）。
本例では補助ロープ５０として、展張ロープ２０と同一のブレードロープを採用する。
被覆ネット１０の面積が大きい場合、又は斜面の勾配が急な場合等に、被覆ネット１０の網目を水平方向に連通し、両端をアンカー材３０に結び付けることで被覆ネット１０による斜面残留物Ａの係留力を高める。
なお、補助ロープ５０は必須の構成要素ではない。
【実施例２】
【００２３】
[渓谷に設置する例]
本考案の滑落防止構造物１は、渓谷に設置することもできる（図２）。
渓谷では、渓岸に挟まれた渓床上に斜面残留物Ａが堆積する。
そこで、渓岸上の立木をアンカー材３０として、被覆ネット１０及び２本の展張ロープ２０を渓岸の間に横架して斜面残留物Ａの前面を抑え、２本の固定ロープ４０を渓岸から渓床に亘って逆八の字型に掛け渡して、被覆ネット１０を保持する。
これによって、斜面残留物Ａの渓床に沿った滑落を有効に防止することができる。
【符号の説明】
【００２４】
１  滑落防止構造物
１０  被覆ネット
２０  展張ロープ
３０  アンカー材
４０  固定ロープ
５０  補助ロープ
Ａ  斜面残留物
【図１】
0003231385.tif 000003
【図２】
0003231385.tif 000004